(57)【要約】      （修正有）【課題】機器の小型化に関わらず、呼吸振動を好適に検出することができ、もってユーザーの利便性の向上が図られたバイタル計測器を提供する。【解決手段】バイタル計測器１０は、内部に流体を封入し、生体が載置される流体袋５０と、生体の呼吸振動に伴う流体袋内の圧力の変動を検出して電気信号に変換するセンサ４０と、流体袋の生体側に配置される表面５１と反対の裏面５３に配置され、生体が流体袋に載置されたときに流体袋を弾性的に支持する支持部材７１と、流体袋の裏面と支持部材との間に配置され、流体袋の表面よりも面方向に伸縮変形し難く形成された伸縮規制部材７３と、を有している。【選択図】図２
2014113169.tif 000002
【特許請求の範囲】
【請求項１】
生体の呼吸数を計測するためのバイタル計測器であって、
内部に流体を封入し、生体が載置される流体袋と、
生体の呼吸振動に伴う前記流体袋内の圧力の変動を検出して電気信号に変換するセンサと、
前記流体袋の生体側に配置される表面と反対の裏面に配置され、前記流体袋へ伝達される呼吸振動の拡散を防止する拡散防止部と、を有することを特徴とするバイタル計測器。
【請求項２】
前記拡散防止部は、生体が前記流体袋に載置されたときに前記流体袋を弾性的に支持する支持部材を有することを特徴とする請求項１に記載のバイタル計測器。
【請求項３】
前記拡散防止部は、前記流体袋の表面よりも面方向に伸縮変形し難く形成された伸縮規制部材を有することを特徴とする請求項１または請求項２に記載のバイタル計測器。
【請求項４】
前記拡散防止部は、前記流体袋に一体的に形成されており、前記流体袋の裏面をなしていることを特徴とする請求項１〜３のいずれか１項に記載のバイタル計測器。
【請求項５】
生体の呼吸数を計測するためのバイタル計測器であって、
内部に流体を封入し、生体が載置される流体袋と、
生体の呼吸振動に伴う前記流体袋内の圧力の変動を検出して電気信号に変換するセンサと、
前記流体袋の生体側に配置される表面と反対の裏面に配置され、生体が前記流体袋に載置されたときに前記流体袋を弾性的に支持する支持部材と、
前記流体袋の裏面と前記支持部材との間に配置され、前記流体袋の表面よりも面方向に伸縮変形し難く形成された伸縮規制部材と、を有することを特徴とするバイタル計測器。
【発明の詳細な説明】
【技術分野】
【０００１】
本発明は、生体の呼吸数の計測に用いられるバイタル計測器に関する。
【背景技術】
【０００２】
肺炎や尿路感染症等の感染症は、現在、高齢者の死亡原因の上位を占めている。一般に、高齢者感染症は発熱などの症状に乏しいケースも多く、対処の遅れによる重症化・死亡例も少なくなく問題となっている。このため、早期発見による治療の開始が重要である。通常、肺炎は、医師が聴診器で胸部の音を聞くことにより判断が可能であり、かつ、胸部Ｘ線検査を行うことで、確実に診断を行うことができる。また、尿路感染症については、血液検査や尿の培養、腹部ＣＴ検査、腹部エコー検査等を行うことで、診断することができる。つまり、感染症は、適切な検査設備のもとで医師等による診断を受ければ、重症化を回避することが可能な疾患であるといえる。しかしながら、上記のような検査設備を備え、医師が常駐している病院や特定の介護施設等の場合には、早期に診断が可能であるが、在宅介護を受けている高齢者や、一般の介護施設、あるいは、医療過疎地域にいる高齢者等の場合には、そもそもこのような診断を早期に受けることは困難である。
【０００３】
このため、例えば、検査設備がなく、判断する医師もいない状況下では、介護者等が、肺炎や尿路感染症等を日常のバイタル変動と区別し、感染症の疑いがあると判断した場合には、早期に病院に搬送させるといった処置をとる必要がある。
【０００４】
しかしながら、介護者等がそのような判断まで行うことは容易ではない。また、感染症の疑いがあると判断した場合であっても、重症度に関する十分な判断をすることが出来ないことから、しばらく様子を見てから対処するのが一般的である。このため、結果として、重症化した状態で病院に搬送されてくるケースが後を絶たない。このようなことから、上述のような介護現場や医療過疎地域では、介護者等でも簡単に測定を行うことができ、かつ、容態悪化を早期に判断することが可能な機器の提供が必要不可欠である。
【０００５】
肺炎や尿路感染症等の感染症の早期の発見にあたり、呼吸機能評価に着目した診断方法が試みられている。呼吸機能の中において、呼吸数は体温、血圧、脈拍とともに基礎バイタルに数えられ、患者の容態を判断する上で非常に重要な項目とされている。
【０００６】
呼吸数計測機器の公知技術としては、鼻部にサーミスタを固定することで呼吸による経温度変化を計測するもの、胸部及び腹部に取り付けたＥＣＧ電極間の呼吸によるインピーダンス変化を計測するものが存在する。しかし、いずれもセンサの設置に手間がかかることもあり、特に重篤な患者を対象とし主にＩＣＵなどでの使用に留まっている。また、電極やリード線などが多数存在するため、患者の動作の自由度が狭められるなどの問題が本質的に存在する。また、用途は異なるが睡眠時無呼吸症候群など患者の睡眠評価のために胸部に伸縮性のバンドを巻きつけて呼吸運動を計測する機器が開発されているが、これも同様にセンサの設置に手間がかかるという問題が存在する。そこで、特許文献１および特許文献２に記載されているように、センサが埋設された空気袋に患者を載置させ、患者の呼吸による体振動に基づいて呼吸数の計測を行うことを可能にしたマットレスタイプの呼吸数計測器が提案されている。
【先行技術文献】
【特許文献】
【０００７】
【特許文献１】特開２００１−１４５６０５
【特許文献２】特開２００１−２７６０１９
【発明の概要】
【発明が解決しようとする課題】
【０００８】
しかしながら、特許文献１および特許文献２に記載の呼吸数計測器においては、患者の呼吸振動をより精度よく検出するために、比較的大きな面積の空気袋上に患者を載置させる設計となっており、空気袋をベッドに常設させる構造が採用されている。空気袋の大型化に伴い呼吸数計測器を使用するユーザーの利便性の低下が招かれている。具体的には、呼吸数を入院患者の基礎バイタルとして日常的に管理したり、患者の症状の急変時に呼吸数を簡易的に計測したりする用途に適していないと言える。また、技術的課題としては、呼吸数計測の主な対象となる寝たきり高齢者は体圧分散を目的に徐圧マットやエアーベッドなどの上で横になっているケースが多く、空気袋をこれら徐圧マットやエアーベッドの上に設置しても、呼吸振動を精度よく検出することは難しいことが挙げられる。特に、空気袋のサイズが小さくなると空気袋が検出する呼吸振動が相対的に少なくなり、体圧分散マットやベッドへの呼吸振動の拡散が容易になることから、呼吸振動を精度良く検出することはさらに困難となる。
【０００９】
本発明は、上記課題に鑑みてなされたものであり、機器の小型化に関わらず、呼吸振動を好適に検出することができ、もってユーザーの利便性の向上が図られたバイタル計測器の提供を目的とする。
【課題を解決するための手段】
【００１０】
上記目的を達成するための本発明のバイタル計測器は、内部に流体を封入し、生体が載置される流体袋と、生体の呼吸振動に伴う前記流体袋内の圧力の変動を検出して電気信号に変換するセンサと、前記流体袋の生体側に配置される表面と反対の裏面に配置され、前記流体袋へ伝達される呼吸振動の拡散を防止する拡散防止部と、を有している。
【発明の効果】
【００１１】
本発明のバイタル計測器によれば、流体袋の裏面に配置された拡散防止部によって流体袋へ伝達された呼吸振動の拡散を防止することができる。したがって、呼吸振動を好適に検出することが可能な小型化されたバイタル計測器を提供することができ、バイタル計測器を使用するユーザーの利便性の向上を図ることができる。
【図面の簡単な説明】
【００１２】
【図１】図１は、実施形態に係るバイタル計測器の使用状態を示す図であり、図１（Ａ）は、斜視図、図１（Ｂ）は、側面図である。
【図２】図２は、バイタル計測器を示す図であり、図２（Ａ）は、バイタル計測器の平面図、図２（Ｂ）は、バイタル計測器の側面図である。
【図３】流体袋および拡散防止部の概略断面図である。
【図４】バイタル計測器の全体構成を簡略化して示すブロック図である。
【図５】バイタル計測器のディスプレイおよび各操作スイッチを示す図である。
【図６】図６（Ａ）〜（Ｃ）はそれぞれ、改変例に係る流体袋および拡散防止部の概略断面図である。
【図７】バイタル計測器の検出部にスライド式カバーを備えた際の図であり、図７（Ａ）は、検出部の平面図、図７（Ｂ）は、検出部の側面図である。
【図８】図８（Ａ）〜（Ｄ）はそれぞれ、流体袋および拡散防止部を備えた検出部を用いた際の呼吸振動計測データを比較して示す図である。
【発明を実施するための形態】
【００１３】
以下、図面を参照しつつ、本発明を実施形態に基づいて説明する。図面の説明において同一の要素には同一の符号を付し、重複する説明を省略する。図面の寸法比率は、説明の都合上誇張されており、実際の比率とは異なる場合がある。
【００１４】
図１に示すように、本発明に係るバイタル計測器１０は、例えば、被験者をベッド８０やマットレスなどに横たえさせた状態で使用されるものであり、被験者の基礎バイタルとしての呼吸数を計測することを可能にするものである。使用対象となる被験者は、特に制限されるものではないが、例えば、在宅介護を受けている高齢者、肺炎や尿路感染症等の感染症を患った臥位患者などが挙げられる。また、本発明に係るバイタル計測器１０は、臥位患者だけでなく、座位患者にも用いることができる。この場合、バイタル計測器１０を被験者の腿やおしりの下に挿入したり、背中と椅子の背や壁などとの間に挟み込んだりしたりすることで測定を行うことができる。
【００１５】
図１〜図３を参照して、実施形態に係るバイタル計測器１０は、概説すれば、内部に流体を封入し、被験者の生体９０が載置される流体袋５０と、生体９０の呼吸振動に伴う流体袋５０内の圧力の変動を検出して電気信号に変換するセンサ４０と、流体袋５０の生体９０側に配置される表面５１と反対の裏面５３に配置され、生体９０が流体袋５０に載置されたときに流体袋５０を弾性的に支持する支持部材７１と、流体袋５０の裏面５３と支持部材７１との間に配置され、流体袋５０の表面５１よりも面方向に伸縮変形し難く形成された伸縮規制部材７３と、を有している。流体袋５０の裏面５３に配置された支持部材７１および伸縮規制部材７３は、生体９０から流体袋５０へ伝達された呼吸振動がベッド８０やマットレスへ拡散することを防止する拡散防止部７０をなしている（図３を参照）。なお、図１に示す破線部は、感知部として機能する流体袋５０の設置エリア周辺を例示するものである。
【００１６】
実施形態の説明において、流体袋５０の「表面」とは、バイタル計測器を使用する際に生体９０に向かい合わせて配置される側の面であり、流体袋５０の「裏面」とは、生体９０が横たえられるベッド８０やマットレスに向かい合わせて配置される側の面である。図３において、表面５１は図中上側に示され、裏面５３は図中下側に示される。
【００１７】
図２を参照して、バイタル計測器１０は、生体９０の呼吸振動を検出するための検出部２０と、検出部２０が検出した計測データ等を表示するディスプレイ３１を備える本体部３０と、を有している。
【００１８】
検出部２０は、生体９０の呼吸振動に合わせて容積が変動可能に設けられた流体袋５０と、流体袋５０内に設置されたセンサ４０と、流体袋５０から導出され、センサ４０と本体部３０内の制御回路に電気的に接続されるリード線６１と、を有している。
【００１９】
流体袋５０は、内部に流体を封入し得るシート状の部材から構成されている。流体袋５０の材質は特に制限されるものではないが、例えば、気密性を有する柔軟なゴム、プラスチック、布材等を使用することができる。流体袋５０は、比較的小型に形成されており、外周部分の一辺がそれぞれ３ｃｍ、１５ｃｍ程度であり、最大膨張時の厚みが１ｃｍ程度である。
【００２０】
センサ４０は、生体９０の呼吸運動に起因する呼吸振動（体振動）を計測するために用いられている。
【００２１】
センサ４０は、流体袋５０内の圧力（流体圧）の変動を検出し、検出結果に基づいた電気信号をリード線６１を介して制御回路などに送信する（図４を参照）。センサ４０には、空気圧の検出に用いられる公知の無指向性マイクロフォンを使用しているが、これに限定されるものではなく、コンデンサマイクロフォン、圧力センサ、圧電フィルムに代表される各種圧電素子、歪みゲージ、静電容量型面圧センサ、ＦＳＲセンサなどを流体の特性に合わせて適宜使用することが可能である。流体としては、空気・水・オイル・高分子ゲルなどを使用することができる。
【００２２】
センサ４０の配置箇所は、流体袋５０内部のみに限定されるものではなく、適宜変更することが可能である。例えば、流体袋５０内部に連通する流体通路を設け、その流体通路の途上にセンサ４０を設置する形態などを採用することが可能である。また、本体部３０内部にセンサ４０を設置することも可能である。センサ４０と後述する制御部６３との間で行われる検出データの送受信は、リード線６１を用いた形態に限定されるものではなく、一般的な電気ケーブルを使用した送受信方法や、無線方式による送受信方法を採用することも可能である。
【００２３】
図３を参照して、流体袋５０の裏面５３に配置された支持部材７１は、流体袋５０をベッド８０側から押し上げるように支持して、流体袋５０と生体９０との接触を安定させる機能を発揮する。生体９０に対して流体袋５０が安定的に保持されるため、生体９０が寝返りするような場合においても流体袋５０に位置ずれが生じることを防止することができる。また、支持部材７１は、生体９０とベッド８０との間において緩衝層としても機能するため、生体９０から伝達される呼吸振動がベッド８０へ拡散することが防止される。図示されるように、支持部材７１には、流体袋５０の外周側面を囲むように配置される側壁７２を設けている。側壁７２を設けることにより、流体袋５０をより安定的に支持させることを可能にしている。
【００２４】
支持部材７１には、ラテックス製のバルーンを使用しているが、これに限定されるものではなく、例えば、スポンジやゲルなどのように弾性的に流体袋５０を支持し得る材質のものを適宜使用することが可能である。バルーンを使用する際、流体注入口（図中省略する）を介してバルーン内部に空気や水等の流体を注入させて膨張させる。また、使用後は、バルーン内部に注入した流体が排出され、しぼんだ状態で流体袋５０とともにケースなどに収納されて持ち運ばれる。
【００２５】
流体袋５０の裏面５３と支持部材７１との間に配置された伸縮規制部材７３は、支持部材７１とともに緩衝層として機能し、呼吸振動が流体袋５０の外表面５１を伝わってベッド８０まで到達して拡散されてしまうことを防止する。実施形態にあっては、非伸縮性のプラスチックフィルムを流体袋５０の裏面５３と支持部材７１との間に挿入して配置する形態としているが、例えば、流体袋５０や支持部材７１に接着させて一体化させた形態とすることも可能である。
【００２６】
伸縮規制部材７３には、非伸縮性のプラスチックフィルムを使用しているが、これに限定されるものではなく、例えば、金属性の薄状プレート、フィルムなどを使用することも可能である。また、プラスチックフィルムとしては、例えば、ＰＥＴ樹脂、ポリエチレン樹脂、ポリプロピレン樹脂、ポリエステル樹脂、アクリル樹脂、ナイロン樹脂、ウレタン樹脂、塩化ビニル樹脂などからなる樹脂製プレート、フィルムを使用することができる。また、エチレン酢酸ビニルコポリマーなど各種ビニルモノマーの共重合体を使用することもできる。伸縮規制部材７３の厚みは、特に制限されるものではないが、小型化を図る観点から、１ｍｍ程度の厚みのものを使用するのが好ましい。
【００２７】
図２および図４を参照して、本体部３０は、バイタル計測器１０の動作を統括的に制御する制御部６３と、センサ４０が検出した呼吸振動に基づいて計測された呼吸数を表示する表示部と、検出結果に応じて所定の音声を発する音声出力部と、各種機能を選択的に動作させるための操作スイッチと、バイタル計測器１０に電源を供給する電源部と、を有している。
【００２８】
本体部３０は、内部には制御部６３が配置され、外部には表示部としてのディスプレイ３１や操作スイッチが設けられた筺体である。筺体の材料には、電子機器類のハードカバーに一般的に用いられる硬質のプラスチック材料が使用されている。
【００２９】
本体部３０が備える制御部６３は、流体袋５０内の圧力が変動した際にセンサ４０から送信される電気信号に基づいて各種演算処理を行う演算処理部と、表示部に表示される内容を制御する表示制御回路と、センサ４０、演算処理部、表示制御部６３のそれぞれを制御する制御回路と、を有している（図４を参照）。
【００３０】
演算処理部は、センサ４０から送信された電気信号を処理し、呼吸振動データを算出するとともに、算出された呼吸振動データの時間変化に基づいて呼吸数を予測演算するプログラムを格納したＲＯＭと、算出された呼吸振動データを時系列で記憶するためのＲＡＭと、所定の音声データ等を格納したＥＥＰＲＯＭと、を有している。演算処理部は、計測された呼吸数を表示部に表示したり、音声出力部から警告アラームを発したりするといった動作の制御を行う。
【００３１】
図５を参照して、電源スイッチ３３は、バイタル計測器１０の電源のオン／オフを操作するためのものである。モード切り替えスイッチ３５は、リアルタイム計測モードと、メモリデータ閲覧モードとを切り替えるために使用される。リアルタイム計測モードを使用する場合には、例えば、警告アラーム機能が併用される。設定を超えた呼吸数が計測されたときには、警告音を発して、ユーザーにバイタル異常の発生を早期に知らせることが可能になっている。警告アラームは、例えば、呼吸数が３０回／ｍｉｎ以上に達したときや、８回／ｍｉｎ以下に達したときに警告音が発せられるように設定することが好ましい。健常者の呼吸数は１５〜２０回／ｍｉｎ程度とされており、２５回／ｍｉｎを越える場合には頻呼吸と判断されるためである。
【００３２】
波形確認スイッチ３７は、ＲＡＭに記憶された呼吸振動の波形データを確認するためのものである。メモリデータ閲覧モードにおいて、左右それぞれの波形確認スイッチ３７を押すことで、計測開始時の波形から計測終了時における波形を時系列に沿ってディスプレイ３１に表示することが可能になっている。
【００３３】
ディスプレイ３１の右端には、波形データに基づいて算出された呼吸数を表示することが可能になっている。図示されるように、例えば、１分間における呼吸数（ＲＲ：Ｒｅｓｐｉｒａｔｏｒｙ  Ｒａｔｅ）が表示される。呼吸数は、波形計測の開始側の所定の時間（図中の編み掛け部分。例えば、１５秒程度。）でサンプリングしたデータに基づいて算出され、表示部の右端にリアルタイムで表示させることが可能になっている。
【００３４】
次に、実施形態に係るバイタル計測器の使用方法について説明する。
【００３５】
図１に示すように、臥位患者の身体９０とベッド８０との間の隙間に感知部として機能する流体袋５０を挿入する。流体袋５０を小型化して形成しているため、身体９０とベッド８０との間に容易に挿入することができる。
【００３６】
流体袋５０上に患者が載置されると、支持部材７１が流体袋５０を押し上げるように支持する。この際、支持部材７１が流体袋５０を生体９０に押し付けて密着性を向上させるため、体動などによる計測環境の変化に伴うノイズの発生が抑制される。また、支持部材７１が患者自身の重みにより弾性的に変形するため、褥瘡等を患った患者や高齢者に対する負荷が小さい。そして、支持部材７１および伸縮規制部材７３は、患者から伝達される呼吸振動がベッド８０へ拡散されてしまうことを防止する。このため、呼吸振動の拡散による感度の低下が招かれることがなく、感知部として機能する流体袋５０を小型化しているにも関わらず、呼吸振動を好適に検出することができる。
【００３７】
上述したように、本実施形態によれば、流体袋５０の裏面５３に配置された拡散防止部７０は、流体袋５０へ伝達された呼吸振動がベッド８０へ拡散することを防止する。したがって、呼吸振動を好適に検出することが可能な小型化されたバイタル計測器１０を提供することができ、バイタル計測器１０を使用するユーザーの利便性の向上を図ることができる。
【００３８】
（拡散防止部の改変例）
上述した実施形態にあっては、支持部材７１と伸縮規制部材７３とからなる２層構造の拡散防止部７０を備えたバイタル計測器１０について説明したが、本発明に係る拡散防止部７０はこのような２層構造の形態のものに限定されるものではない。例えば、図６（Ａ）〜（Ｃ）に示されるように、支持部材７１または伸縮規制部材７３のみを流体袋５０の裏面５３に配置して、それぞれを個別に拡散防止部７０として機能させることが可能である。
【００３９】
図６（Ａ）に示すように、例えば、流体袋５０に支持部材７１のみを接着させた構成を採用することができる。流体としては空気を使用し、支持部材７１をなす弾性体としてはラテックス製のバルーンを使用し、呼吸振動を検出するためのセンサ４０としては無指向性マイクロフォンを使用している。なお図中省略するが、無指向性マイクロフォンは流体袋５０の端部に配置し、検出部２０から伝わる空気圧の変動を検出し、ケーブルを介して電気信号を制御部６３へ送信する構造となっている。
【００４０】
使用時には、臥位状態にある被験者の背中側に流体袋５０を挿入した後、バルーンを拡張して生体９０に対して流体袋５０を密着させる。流体袋５０を密着させることにより、効率的に呼吸振動を検出することが可能になっている。
【００４１】
図６（Ｂ）に示すように、例えば、流体袋５０に非伸縮性の高分子フィルムのみを接着させた構成を採用することができる。流体としては精製水を使用し、高分子フィルムとしては、例えば、厚さ０．１ｍｍ程度のＰＥＴ樹脂を使用することが可能である。呼吸振動を検出するためのセンサ４０として、圧力センサが使用されている。なお図中省略するが、圧力センサは流体袋５０内部に配置せず、制御部６３に配置し、検出部２０から伝わる圧力の変動を検出させている。
【００４２】
使用時には、臥位状態にある被験者の背中側に流体袋５０が挿入される。流体袋５０の裏面５３に配置された伸縮規制部材７３が、流体袋５０全体の伸縮変形を抑制するため、流体袋５０に伝達される呼吸振動の拡散が生じることを防止することができる。したがって、伸縮規制部材７３を拡散防止部７０として使用する場合には、生体９０が配置されるベッド８０に比較的柔軟な除圧ベッドなどが使用されていても、感度の低下が招かれることがなく、効率的に呼吸振動を検出することが可能になる。
【００４３】
図６（Ｃ）に示すように、例えば、流体袋５０に一体的に形成され流体袋５０の裏面５３をなす伸縮規制部材７３を拡散防止部７０として機能させることができる。図示例にあっては、流体としてミネラルオイルを使用し、流体袋５０の表面５１を伸縮性に富んだ高伸縮性の素材によって構成し、流体袋５０の裏面５３を低伸縮性の素材によって構成した非対称構造が採用されている。
【００４４】
流体袋５０の裏面５３が振動の拡散を防止する振動拡散防止面として機能するため、プレート形状の伸縮規制部材を設けた場合と同様に、身体が配置されるベッド８０に比較的柔軟な除圧ベッドなどが使用されていても、感度の低下が招かれることがなく、効率的に呼吸振動を検出することが可能になっている。また、拡散防止部７０が流体袋５０に予め一体化させて製造されるため、別部材のプレート等を伸縮規制部に用いる場合と比べて、製造作業の簡略化を図ることが可能になっている。くわえて、プレート形状の伸縮規制部材を設けることによって生じ得る流体袋５０の厚みの増加を抑制することができるため、より小型化されたバイタル計測器１０を提供することが可能になっている。
【００４５】
流体袋５０の表面５１をなす高伸縮性の素材としては、例えば、天然ゴム、合成ゴム、エラストマーなどを用いることが可能である。また、流体としては、空気・水・オイル・高分子ゲルなどを使用することができる。流体袋５０の裏面５３をなす低伸縮性の素材としては、例えば、ＰＥＴ樹脂、ポリエチレン樹脂、ポリプロピレン樹脂、ポリエステル樹脂、アクリル樹脂、ウレタン樹脂、ナイロン樹脂、塩化ビニル樹脂などを用いることが可能である。エチレン酢酸ビニルコポリマーなど各種ビニルモノマーの共重合体を使用することもできる。また、表面５１と裏面５３における非対象構造を形成する方法として、例えば、表面５１の素材および裏面５３の素材を同一の材料で構成し可塑剤の含有量を異ならせることによって、表面５１と裏面５３の伸縮性を調整する方法を採用することも可能である。
【００４６】
図示するように、例えば、流体袋５０内にスポンジやバネなどの弾性部材７５を挿入し、流体袋５０の表面５１および裏面５３の一方の面を他方の面よりも押し広げて拡張させた状態とすることにより、面方向の伸縮性を機械的に調整する方法を採用することも可能である。
【００４７】
センサ４０等の配置については図中省略するが、無指向性マイクロフォンは流体袋５０の端部に配置し、検出部２０から伝わる流体圧の変動を検出し、無線通信方式により計測データを制御部６３へ送信する構造となっている。
【００４８】
上述した実施形態は適宜変更することが可能である。
【００４９】
流体袋５０の設置箇所は、生体９０との接触面積を向上させる観点から、図示されたように生体９０の背中の中心付近に配置されるのが好ましいが、これに特に限定されるものではなく、生体９０から伝達される呼吸振動を検出し得る限りにおいて適宜変更することが可能である。
【００５０】
改変例において、流体袋５０の裏面５３が低伸縮性の素材によって構成された非対称構造を説明したが、例えば、支持部材７１のように流体袋５０を弾性的に支持する素材によって流体袋５０の裏面５３を構成させた非対称構造を採用することも可能である。
【００５１】
また、流体袋５０及び拡散防止部７０を含む検出部２０は、薄いほど生体９０の下部への設置が容易になる。このことを踏まえ、検出部２０を設置する際は、図７に示すように検出部２０が薄型の格納カバー７６に収納されている状態とし、検出部２０を生体９０の下部へ挿入した後、格納カバー７６を図示するようにスライドさせ、支持部材７１が自動的に拡張して、流体袋５０を生体９０へ圧着させる構造とすることも可能である。支持部材７１にバルーンを用いた場合においては、適切な圧力になるように吸気、排気を自動制御することができる機構を設けても良い。
【００５２】
センサ４０の設置個数や設置箇所は特に限定されるものではなく、必要に応じて適宜変更することが可能である。例えば、流体袋５０内部を複数個の部屋に分割し、それぞれの部屋ごとにセンサ４０を配置することによって検出精度の向上を図ることができる。流体袋５０の外形形状等も適宜変更することが可能であり、例えば、折り目が予め形成された蛇腹形状の流体袋５０などを利用することによって、未使用時の流体袋５０の小型化を図ることが可能である。
【００５３】
図８には、エアーベッド上で計測した呼吸振動の計測データを示す。（Ａ）は、流体袋５０のみを備えた検出部による計測データを示す。（Ｂ）は、流体袋５０に支持部材７１を備えさせた検出部による計測データを示す。（Ｃ）は、流体袋５０に伸縮規制部材７３を備えさせた検出部による計測データを示す。（Ｄ）は、支持部材７１及び伸縮規制部材７３の両方を備えさせた検出部による計測データを示す。なお、図中の縦軸は圧力の変化を電圧値で示しており、横軸は計測時間を示している。流体袋５０のみを備えた検出部による計測では呼吸振動波形がノイズに埋もれてしまっていているが、支持部材７１や伸縮規制部材７３を備えた検出部による計測では明瞭な呼吸振動波形が得られることが確認できた。
【符号の説明】
【００５４】
１０    バイタル計測器、
２０    検出部、
３０    本体部、
４０    センサ、
５０    流体袋、
５１    表面、
５３    裏面、
７０    拡散防止部、
７１    支持部材、
７３    伸縮規制部材、
７５    弾性部材、
８０    ベッド、
９０    生体。
【図１】
2014113169.tif 000003
【図２】
2014113169.tif 000004
【図３】
2014113169.tif 000005
【図４】
2014113169.tif 000006
【図５】
2014113169.tif 000007
【図６】
2014113169.tif 000008
【図７】
2014113169.tif 000009
【図８】
2014113169.tif 000010